(57)【要約】【課題】ユーザの健康関連情報を取得して、時系列な変化をみながら健康に関するアドバイスや広告を提供すること。【解決手段】ネットワークを介して、ユーザが作成した該ユーザの健康情報を取得する健康情報取得部と、ユーザが使用するバイタルデータ計測装置からユーザのバイタルデータの測定結果を取得して、健康管理データとして記憶する健康管理情報取得部と、前記健康情報から前記ユーザの健康に関する目標を取得する目標情報取得部と、前記目標と、前記健康管理データから得られる実績とを比較する目標・実績分析部と、前記健康管理データ又は前記目標・実績分析部による比較の結果から、ユーザの異常データを検出し、該異常データに対応付けられたアドバイス情報を前記ユーザ端末に送信する異常対応アドバイス部とを備える。【選択図】図２
2008262504.tif 000002
【特許請求の範囲】
【請求項１】
ユーザ端末とネットワークで接続され、該ユーザ端末のユーザに対して健康管理のためのアドバイスを提供する健康管理アドバイス提供装置であって、
前記ネットワークを介して、前記ユーザが作成した該ユーザの健康情報を取得する健康情報取得部と、
前記ユーザが使用するバイタルデータ計測装置から前記ユーザのバイタルデータの測定結果を取得して、健康管理データとしてユーザ毎に記憶する健康管理データ取得部と、
前記健康情報から前記ユーザの健康に関する目標を取得する目標情報取得部と、
前記目標と、前記健康管理データから得られる実績とを比較分析する目標・実績分析部と、
前記健康管理データ又は前記目標・実績分析部による比較分析結果から、前記ユーザの異常データを検出し、該異常データに対応付けられたアドバイス情報を前記ユーザ端末に送信する異常対応アドバイス部と、
を備えた、健康管理アドバイス提供装置。
【請求項２】
前記アドバイス情報にマッチする広告を、前記ユーザ端末に前記アドバイス情報に関連させて送信する広告マッチング部をさらに備えた、請求項１に記載の装置。
【請求項３】
前記健康情報、前記健康管理データ、及び前記目標のうち少なくとも一つが類似する類似ユーザの情報を抽出し、前記ユーザ端末に送信する類似ユーザ抽出部をさらに備えた、請求項１乃至２に記載の装置。
【請求項４】
前記バイタルデータ計測装置は、身長、体重、体脂肪率、血圧、脈拍、体温、徒歩数のうち少なくとも一以上のデータを測定可能な一又は複数の計測装置から構成される、請求項１乃至３のいずれかに記載の装置。
【請求項５】
前記健康情報取得部は、前記ユーザが作成したブログから前記健康情報を取得する、請求項１乃至４のいずれかに記載の装置。
【請求項６】
ユーザ端末とネットワークで接続され、該ユーザ端末のユーザに対して健康管理のためのアドバイスを提供する健康管理アドバイス提供方法であって、
前記ネットワークを介して、前記ユーザが作成した該ユーザの健康情報を取得するステップと、
前記ユーザが使用するバイタルデータ計測装置から前記ユーザのバイタルデータの測定結果を取得して、健康管理データとしてユーザ毎に記憶するステップと、
前記健康情報から前記ユーザの健康に関する目標を取得するステップと、
前記目標と、前記健康管理データから得られる実績とを比較分析するステップと、
前記健康管理データ又は前記比較分析するステップによる比較分析結果から、前記ユーザの異常データを検出し、該異常データに対応付けられたアドバイス情報を前記ユーザ端末に送信するステップと、
を備えた、健康管理アドバイス提供方法。
【請求項７】
ユーザ端末とネットワークで接続され、該ユーザ端末のユーザに対して健康管理のためのアドバイスを提供する健康管理アドバイス提供のためのコンピュータ・プログラムであって、
コンピュータに、
前記ネットワークを介して、前記ユーザが作成した該ユーザの健康情報を取得するステップと、
前記ユーザが使用するバイタルデータ計測装置から前記ユーザのバイタルデータの測定結果を取得して、健康管理データとしてユーザ毎に記憶するステップと、
前記健康情報から前記ユーザの健康に関する目標を取得するステップと、
前記目標と、前記健康管理データから得られる実績とを比較分析するステップと、
前記健康管理データ又は前記比較分析するステップによる比較分析結果から、前記ユーザの異常データを検出し、該異常データに対応付けられたアドバイス情報を前記ユーザ端末に送信するステップと、
を実行させる、コンピュータ・プログラム。
【発明の詳細な説明】
【技術分野】
【０００１】
本発明は、健康管理アドバイス提供装置、方法及びプログラムに関する。特に、ネットワーク上からユーザの健康関連情報を取得して、時系列な変化をみながら健康に関するアドバイスや広告を提供する装置、方法及びプログラムに関する。
【背景技術】
【０００２】
昨今の健康に関する人々の関心の高まりと各種健康器具の発達に伴い、健康管理に関する様々なシステムが提案されている。例えば、特許文献１には、脈拍、体温、血圧などを日常的にモニタし、その結果を医療機関や保険会社に報告するシステムが開示されている。また、特許文献２には、健康管理データを簡易で安全に持ち運び可能とするメモリスロット付健康データ計測装置と、その健康管理データを格納するサーバとを利用したシステムが開示されている。さらに、特許文献３には、携帯可能な各種健康管理センサーからの情報を、携帯端末機によりホストコンピュータに伝送し処理することにより、総合的に有効活用するような健康管理システムが開示されている。
【特許文献１】特開２００２−２６３０７１号公報
【特許文献２】特開２００３−８５２９１号公報
【特許文献３】特開２００２−１５７３３６号公報
【発明の開示】
【発明が解決しようとする課題】
【０００３】
しかしながら、上記の健康管理システムは、いずれも各種の測定装置とホストコンピュータによる管理を結びつけたものであるが、利用者が健康に関して設定した目標と実績の分析を基に、健康管理に関するアドバイスやそのアドバイスに関連する各種製品やサービスを提供したり、また、同様な健康に関する情報を有する利用者の情報をネットワーク上で結びつけたりするものではなかった。
【０００４】
本発明は、上記課題に鑑み、今日の膨大な情報源であるインターネット上で、ユーザの健康関連情報を取得して、時系列な変化をみながら健康に関するアドバイスや広告を提供することを目的とする。
【課題を解決するための手段】
【０００５】
本発明では以下のような解決手段を提供する。
【０００６】
（１）  ユーザ端末とネットワークで接続され、該ユーザ端末のユーザに対して健康管理のためのアドバイスを提供する健康管理アドバイス提供装置であって、
前記ネットワークを介して、前記ユーザが作成した該ユーザの健康情報を取得する健康情報取得部と、
前記ユーザが使用するバイタルデータ計測装置から前記ユーザのバイタルデータの測定結果を取得して、健康管理データとしてユーザ毎に記憶する健康管理データ取得部と、
前記健康情報から前記ユーザの健康に関する目標を取得する目標情報取得部と、
前記目標と、前記健康管理データから得られる実績とを比較分析する目標・実績分析部と、
前記健康管理データ又は前記目標・実績分析部による比較分析結果から、前記ユーザの異常データを検出し、該異常データに対応付けられたアドバイス情報を前記ユーザ端末に送信する異常対応アドバイス部と、
を備えた、健康管理アドバイス提供装置。
【０００７】
（１）の構成によれば、本装置は、ユーザが作成した健康情報（健康に関する目標など）を、取得する健康管理データ取得部を備える。情報源は、ネットワーク経由でユーザ端末やサーバから取得できる情報である。また、入力として、ユーザが家庭や医療機関などで日常的に使用する体重計や血圧計など各種測定機器（以下、バイタルデータ計測装置と呼ぶ）からのデータ（以下、健康管理データと呼ぶ）を取得する健康管理データ取得部を備える。本装置とバイタルデータ計測装置とは必ずしもネットワークに接続されていなくともよく、ユーザ端末にメモリーカードなど経由でデータを入力するようにしてよい。また、健康情報と健康管理データを合わせて健康関連データと呼ぶ。
【０００８】
さらに本装置は、健康情報からユーザの健康に関する目標を取得する目標情報取得部と、その目標と健康管理データから得られる実績とを比較分析する目標・実績分析部とを備える。そして、健康管理データ又は目標・実績分析部による比較分析の結果から、ユーザの異常データを検出し、該異常データに対応付けられたアドバイス情報を前記ユーザ端末に送信する異常対応アドバイス部と、を備える。
【０００９】
このようにすることによって、ネットワーク上を介して、ユーザの健康情報を時系列的に記録したＷｅｂページ（例えばブログ）を利用して、ユーザの健康に関する目標を取得ができ、この目標を体重、血圧、運動量などを測定する各種のバイタルデータ計測装置からの実績値と比較、分析することができる。また、測定装置からの健康管理データや前記の比較分析の結果から健康データの異常値を検出することができるので、異常値に関連する予め用意したアドバイスを自動的に提供することができる。また、このアドバイスに関連する商品やサービスの情報も同時に提供することができるのでユーザにとって大変有用である。
【００１０】
（２）  前記アドバイス情報にマッチする広告を、前記ユーザ端末に前記アドバイス情報に関連させて送信する広告マッチング部をさらに備えた、（１）に記載の装置。
【００１１】
（２）の構成によれば、アドバイス情報にマッチする広告を、ユーザに提供することができる。例えば、体重に関するアドバイス情報にダイエット関連商品の広告を含ませるようなことができる。なお、アドバイス内容にマッチする広告を選択する手段は公知の技術を用いてよい。
【００１２】
（３）  前記健康情報、前記健康管理データ、及び前記目標のうち少なくとも一つが類似する類似ユーザの情報を抽出し、前記ユーザ端末に送信する類似ユーザ抽出部をさらに備えた、（１）乃至（２）に記載の装置。
【００１３】
（３）の構成によれば、本装置は、類似ユーザ抽出部をさらに備えることによって、アドバイスを提供するだけでなく、健康情報と健康管理データをユーザ毎に記憶したデータベースなどを用いて、これらの情報が類似するユーザを検出することができる。例えば、健康情報に含まれたダイエット目標として体重５ｋｇ減と記載されたユーザを類似ユーザとして抽出する。このとき可能ならば、類似ユーザの健康管理データ（へのリンク）も提供する。このことにより、類似ユーザの健康に関する情報（例えば、現在の体重や履歴）も参考にすることができる。
【００１４】
（４）  前記バイタルデータ計測装置は、身長、体重、体脂肪率、血圧、脈拍、体温、徒歩数のうち少なくとも一以上のデータを測定可能な一又は複数の計測装置から構成される、（１）乃至（３）のいずれかに記載の装置。
【００１５】
（４）の構成によれば、身長、体重、体脂肪率、血圧、脈拍、体温、徒歩数などを測定できるバイタルデータ計測装置を組み合わせることができるので、様々なデータにより健康管理ができる。
【００１６】
（５）  前記健康情報取得部は、前記ユーザが作成したブログから前記健康情報を取得する、（１）乃至（４）のいずれかに記載の装置。
【００１７】
（５）の構成によれば、情報源は、ユーザが作成した健康ブログやダイエットブログなどのネットワーク経由で取得できるブログ情報とすることができる。このようにすることで、ユーザは本装置に直接健康情報を入力しなくとも、本装置が、自分のブログなどから自動的に目標などを時系列に取得することができる。
【００１８】
（６）  ユーザ端末とネットワークで接続され、該ユーザ端末のユーザに対して健康管理のためのアドバイスを提供する健康管理アドバイス提供方法であって、
前記ネットワークを介して、前記ユーザが作成した該ユーザの健康情報を取得するステップと、
前記ユーザが使用するバイタルデータ計測装置から前記ユーザのバイタルデータの測定結果を取得して、健康管理データとしてユーザ毎に記憶するステップと、
前記健康情報から前記ユーザの健康に関する目標を取得するステップと、
前記目標と、前記健康管理データから得られる実績とを比較分析するステップと、
前記健康管理データ又は前記比較分析するステップによる比較分析結果から、前記ユーザの異常データを検出し、該異常データに対応付けられたアドバイス情報を前記ユーザ端末に送信するステップと、
を備えた、健康管理アドバイス提供方法。
【００１９】
（６）の構成によれば、（１）の装置と同様な作用効果を奏する発明を方法の発明として提供可能である。
【００２０】
（７）  ユーザ端末とネットワークで接続され、該ユーザ端末のユーザに対して健康管理のためのアドバイスを提供する健康管理アドバイス提供のためのコンピュータ・プログラムであって、
コンピュータに、
前記ネットワークを介して、前記ユーザが作成した該ユーザの健康情報を取得するステップと、
前記ユーザが使用するバイタルデータ計測装置から前記ユーザのバイタルデータの測定結果を取得して、健康管理データとしてユーザ毎に記憶するステップと、
前記健康情報から前記ユーザの健康に関する目標を取得するステップと、
前記目標と、前記健康管理データから得られる実績とを比較分析するステップと、
前記健康管理データ又は前記比較分析するステップによる比較分析結果から、前記ユーザの異常データを検出し、該異常データに対応付けられたアドバイス情報を前記ユーザ端末に送信するステップと、
を実行させる、コンピュータ・プログラム。
【００２１】
（７）の構成によれば、（１）の装置と同様な作用効果を奏する発明をコンピュータ・プログラムとして提供可能である。
【発明の効果】
【００２２】
本発明によれば、インターネット上でユーザの健康関連情報を取得して、時系列な変化をみながら健康に関するアドバイスや広告を提供することができる。また、健康データが類似のユーザを検出して参考情報を提供することができる。
【発明を実施するための最良の形態】
【００２３】
以下、本発明の実施形態について図を参照しながら説明する。
【００２４】
［システムの全体構成］
図１は、本発明の好適な実施形態の一例に係るシステム１の全体構成を示す図である。
【００２５】
本発明を構成するシステム１は、ユーザの健康関連データを取得し、該健康関連データの分析を行い、分析結果に基づいて、アドバイスやアドバイスに関連した広告などの情報提供を行う。さらに、該ユーザのデータと類似する他のユーザのデータを抽出し、類似ユーザの情報を提供するシステムである。ここで、ユーザの健康関連データとは、例えば、ユーザが、該ユーザの健康情報をブログなどを利用して公開しているＷｅｂページであってよい。なお、ブログとは、インターネットやイントラネット上において公開されている、ユーザが日々更新する日記風のホームページである。また、健康関連データは、体重計や歩数計などの各種バイタルデータ計測装置５０が計測したデータから得ることのできる健康管理データを含む。
【００２６】
本システムでは、健康管理アドバイス提供装置１０が、通信ネットワーク３０を介して、Ｗｅｂサイト６０及びユーザ端末２０と接続される。なお、健康管理アドバイス提供装置１０のハードウェアの数に制限はなく、必要に応じて、１又は複数のハードウェアで構成してよい。
【００２７】
健康管理アドバイス提供装置１０は、ユーザの健康関連データと、該ユーザの健康に関する目標情報とを、通信ネットワーク３０などを介して取得し、ユーザ固有の識別子（ユーザＩＤ）と関連付けて記憶する。そして、ユーザの健康関連データを分析し、該ユーザの目標情報又は健康関連データと類似する他のユーザを類似ユーザとして抽出する。また、分析結果に応じたアドバイスと広告を特定する。そして、ユーザ端末２０のＷｅｂブラウザなどによるデータの送信要求に応じて類似ユーザのデータ、アドバイス、及び広告などを送信する機能を備える。
【００２８】
通信ネットワーク３０は、例えば、インターネットであり、通信手段は、有線により実現するものだけではなく、アクセスポイントを介して無線ＬＡＮにより実現するものなど、本発明の技術的思想に合致するものであれば様々な通信技術により実現される。
【００２９】
Ｗｅｂサイト６０は、ブログを含むＷｅｂページを蓄積しており、通信ネットワーク３０、例えば、インターネットなどのネットワークを通じて、これらの情報をユーザ端末２０に送信する機能を有している。なお、個人や会社のホームページなどのＷｅｂページ群、又はＷｅｂページ群が置いてあるインターネット、又はイントラネット上の場所を、Ｗｅｂサイトという。
【００３０】
ユーザ端末２０は、ＰＣ（Ｐｅｒｓｏｎａｌ  Ｃｏｍｐｕｔｅｒ）２０ａの他、携帯電話機２０ｂ、ＰＤＡ（Ｐｅｒｓｏｎａｌ  Ｄｉｇｉｔａｌ  Ａｓｓｉｓｔａｎｔ）２０ｃなどのいわゆるコンピュータ以外の通信端末であってもよい。
【００３１】
バイタルデータ計測装置５０は、歩数計５０ａの他、体重計５０ｂ、などの各種測定器機であってよく、徒歩数、体重、身長、体脂肪率、血圧、脈拍、体温、などのユーザの健康に係る情報（健康管理データ）を計測する機能を備える。なお、計測データを外部装置（例えば、ユーザ端末２０）に送信する手段を備えていてもよい。送信手段は、有線により実現するものだけではなく、メモリーカードを使用するなどにより実現される。さらに、バイタルデータ計測装置５０は、通信ネットワーク３０を介して、Ｗｅｂサイト６０及び健康管理アドバイス提供装置１０に接続されて、計測データを送信してもよい。
【００３２】
［端末及び健康管理アドバイス提供装置の機能ブロック］
図２は、本発明の好適な実施形態の一例に係るユーザ端末２０及び健康管理アドバイス提供装置１０の機能ブロック図である。
【００３３】
ユーザ端末２０は、入力部２１、送受信部２２、制御部２３、表示部２４、及び記憶部２５により構成される。入力部２１は、キーボード及びマウスなどの入力装置を含み、ユーザの入力を受け付ける機能を有している。又、送受信部２２は、通信インターフェイスを含み、データを健康管理アドバイス提供装置１０及びＷｅｂサイト６０に送信する機能、並びに健康管理アドバイス提供装置１０、Ｗｅｂサイト６０、及びバイタルデータ計測装置５０からデータを受信する機能を有している。そして、制御部２３は、ＣＰＵ（Ｃｅｎｔｒａｌ  Ｐｒｏｃｅｓｓｉｎｇ  Ｕｎｉｔ）を含み、ユーザ端末２０を制御する機能を有している。さらに、表示部２４は、ブラウン管表示装置（ＣＲＴ）や液晶表示装置（ＬＣＤ）などの表示装置を含み、データを表示する機能を有している。そしてまた、記憶部２５は、ハードディスクなどの内部又は外部の記憶装置を含み、データを記憶する機能を有している。
【００３４】
健康管理アドバイス提供装置１０は、主として送受信部１２、制御部１３、及び記憶部１５により構成される。送受信部１２は、通信インターフェイスを含み、ユーザ端末２０及びＷｅｂサイト６０からデータを受信する機能、並びにユーザ端末２０へデータを送信する機能を有している。又、制御部１３は、ＣＰＵを含み、健康管理アドバイス提供装置１０を制御する機能を有している。さらに、記憶部１５は、ハードディスクなどの内部又は外部の記憶装置を含み、データを記憶する機能を有している。
【００３５】
健康管理アドバイス提供装置１０の制御部１３は、健康情報取得部１３０１、健康管理データ取得部１３０２、目標情報取得部１３０３、目標・実績分析部１３０４、異常データ検出部１３０５、異常対応アドバイス部１３０６、類似ユーザ抽出部１３０７、及び広告マッチング部１３０８を有している。
【００３６】
ここで、健康情報取得部１３０１は、通信ネットワーク３０を介してユーザの健康情報データを取得し、ユーザＩＤと関連付けてユーザ健康情報テーブル１５０１に記憶する。又、健康管理データ取得部１３０２は、バイタルデータ計測装置５０の計測データを取得し、ユーザ健康情報テーブル１５０１に記憶する。そして、目標情報取得部１３０３は、通信ネットワーク３０を介して、該ユーザの健康情報データを載せているＷｅｂページから目標情報を取得し、ユーザ健康情報テーブル１５０１に記憶する。健康管理情報のＷｅｂページから目標情報を取得するには、予め目標を記述する所定の欄を定めて、その欄から取得してもよいが、Ｗｅｂページのドキュメントを形態素解析し、「目標」、「ターゲット」、「めざせ」などのキーワードを検索し、このキーワードに隣接する数値情報を検出するようにしてもよい。なお、形態素解析とは、文を形態素（言語で意味を持つ最小単位）の列に分割することである。形態素解析には様々な公知のいずれの手法を用いてもよい。
【００３７】
さらに、目標・実績分析部１３０４は、データ送信要求に応じて、ユーザ健康情報テーブル１５０１から該ユーザのデータを抽出し分析する。並びに、該ユーザのデータと類似しているユーザの特定も行う分析テーブル１５０４を作成する。そしてまた、異常データ検出部１３０５は、分析テーブル１５０４を参照して、ユーザの健康に問題があるか否かなどの異常を検出する。そしてさらに、異常対応アドバイス部１３０６は、異常の内容を基に、アドバイス情報テーブル１５０２から、アドバイス情報を抽出する。類似ユーザ抽出部１３０７は、分析テーブル１５０４を用いて類似ユーザを抽出する。分析テーブル１５０４については後述する。そして、広告マッチング部１３０８は、ユーザの健康情報の分析結果を基に、アドバイス情報にマッチする広告データを抽出する。
【００３８】
健康管理アドバイス提供装置１０の記憶部１５は、ユーザ健康情報テーブル１５０１、アドバイス情報テーブル１５０２、広告テーブル１５０３、及び分析テーブル１５０４を含んで構成される。ユーザ健康情報テーブル１５０１は、ユーザの健康関連データ及び目標情報と関連付けられたユーザＩＤを記憶している。又、アドバイス情報テーブル１５０２は、アドバイス情報とそれぞれを識別するために関連付けられたアドバイス情報ＩＤを記憶している。そして、広告テーブル１５０３は、広告データとそれぞれ関連付けられたアドバイス情報ＩＤなどを記憶している。さらに、分析テーブル１５０４は、データ送信要求に応じて、ユーザ健康情報テーブル１５０１から生成される。
【００３９】
［ユーザの健康関連データ及び目標情報取得処理］
図３は、本発明の好適な実施形態の一例に係るユーザの健康関連データ及び目標情報取得処理のシーケンス図である。
【００４０】
まず、ステップＳ１０１では、Ｗｅｂサイト６０が、ユーザのブログへの健康情報の入力データを受信し、記憶する。なお、ユーザの健康情報データの具体的な例については、図４で後述する。
【００４１】
次に、ステップＳ１０２では、健康管理アドバイス提供装置１０の制御部１３が、送受信部１２を介して、健康情報取得部１３０１により、ユーザの健康情報データを取得する。なお、健康情報取得部１３０１は、クローラと呼ばれるＷｅｂサイトからＷｅｂページなどを自動取得（収集）するプログラムにより行われてもよい。ここで、クローラが、Ｗｅｂページを探し出す手段や、対象とするＷｅｂページの種類は様々であり、クローラの管理者の設定により、取得（収集）されるＷｅｂページの種類やカテゴリーも異なる。例えば、カテゴリーを、ユーザがブログを利用して公開している健康情報に設定することで、健康情報データの取得ができる。
【００４２】
そして、取得した健康情報データとユーザＩＤを関連付ける。なお、ユーザＩＤは、ユーザの健康情報データに用いられているユーザＩＤでもよい。そして、健康情報データと、関連付けられたユーザＩＤとを記憶部１５のユーザ健康情報テーブル１５０１に記憶する。なお、ユーザ健康情報テーブル１５０１の具体的な例については、図５で後述する。
【００４３】
次に、ステップＳ１０３では、バイタルデータ計測装置５０が、ユーザの健康に関する情報の計測を行い、計測データを取得する。なお、計測データは、体重、体脂肪率、徒歩数などであってよい。そして、計測データには、計測をしたユーザの固有の識別子（ユーザＩＤ）が関連付けられてもよい。こうすることで、計測データをユーザ端末２０などにおいて、ユーザ毎の健康管理データとして蓄積することができる。
【００４４】
次に、ステップＳ１０４では、ユーザ端末２０が、バイタルデータ計測装置５０の計測データを取得する。そして、計測データをユーザの健康管理データとして記憶部２５に記憶する。さらに、計測データをユーザの健康管理データとして、送受信部２２により、健康管理アドバイス提供装置１０に、通信ネットワーク３０を介して送信してもよい。
【００４５】
次に、ステップＳ１０５では、健康管理アドバイス提供装置１０の制御部１３が、通信ネットワーク３０を介して、健康管理データ取得部１３０２により、ユーザの健康管理データを取得し、ユーザ健康情報テーブル１５０１の該ユーザのレコード（テーブルの行に対応）に記憶する。
【００４６】
次に、ステップＳ１０６では、Ｗｅｂサイト６０が、ユーザのブログへの目標情報の入力データを受信し、記憶する。なお、目標情報とは、例えば、ユーザが目標とする体重などである。
【００４７】
次に、ステップＳ１０７では、制御部１３が、通信ネットワーク３０を介して、目標情報取得部１３０３により、ユーザの目標情報を取得し、ユーザ健康情報テーブル１５０１の該ユーザのレコード（テーブルの行に対応）に記憶する。
【００４８】
図４は、本発明の好適な実施形態の一例に係るユーザの健康情報データを載せた健康ブログ画面を示す図である。ここで、図４に示すように、このブログには、ユーザＩＤ「ＡＡＡ」（ａ）のブログには健康情報データ（ｂ）や、目標情報（ｃ）などが含まれている。健康情報データ（ｂ）には、ユーザが日々更新している健康情報が表示されている。また、目標情報（ｃ）には、ユーザが目標にしている体重が表示されている。ここで、図４のブログ画面は、Ｗｅｂブラウザなどにより表示される例であり、ブログ画面を構成するデータそのものは、ブログを管理するＷｅｂサイト６０に記憶されている。すなわち、健康情報取得部１３０１及び目標情報取得部１３０３が、送受信部１２を介して、ブログを管理するＷｅｂサイト６０から、ユーザの健康関連データを取得することができる。なお、アドバイス情報（ｄ）、広告（ｆ、ｇ）、及び類似ユーザ情報（ｅ）については、後述する。
【００４９】
図５は、本発明の好適な実施形態の一例に係るユーザ健康情報テーブル１５０１を示す図である。ここで、図５に示すように、ユーザ健康情報テーブル１５０１は、時系列に、ＤＡＴＥ、ユーザＩＤ、目標情報（例えば、目標体重）、現在体重、食事情報、体脂肪率、徒歩数、及びオススメ情報（例えば、オススメダイエット情報）などの欄を持つデータベースである。そして、レコード（テーブルの行に対応する）には、各ユーザＩＤとそれぞれの目標情報などとが関連付けて記憶されている。例えば、先頭のレコードには、２００７年３月２０日「ユーザＩＤ：ＡＡＡ」が、「目標体重：６０ｋｇ」「現在体重：７１．４ｋｇ」・・・などと共に記憶されている。次のレコードには、２００７年３月２０日「ユーザＩＤ：ＣＣＣ」が、「目標体重：５８ｋｇ」「現在体重：６３ｋｇ」・・・などと共に記憶されている。なお、「ユーザＩＤ：ＣＣＣ」の徒歩数欄のように、計測データを取得できないため空欄となる場合もある。
【００５０】
［健康管理アドバイス提供処理］
図６は、本発明の好適な実施形態の一例に係る健康管理アドバイス提供処理のシーケンス図である。
【００５１】
まず、ステップＳ２０１では、ユーザ端末２０の制御部２３が、入力部２１を介して、Ｗｅｂブラウザなどにより、一のユーザのアドバイスなどを含む健康情報のブログの表示を要求するデータを、Ｗｅｂサイト６０を経由して健康管理アドバイス提供装置１０に送信する。ここでは、健康情報を載せているブログの表示を要求するＨＴＴＰ（ＨｙｐｅｒＴｅｘｔ  Ｔｒａｎｓｆｅｒ  Ｐｒｏｔｏｃｏｌ）リクエストなどでよい。
【００５２】
そして、健康管理アドバイス提供装置１０の制御部１３が、送受信部１２を介して、アドバイスの送信要求データを受信する。なお、ブログの表示を要求するＨＴＴＰリクエストは、Ｗｅｂサイト６０を経由している。ここで、Ｗｅｂサイト６０は、ブログのＷｅｂページデータを含むＨＴＴＰレスポンスをユーザ端末２０に送信している。このことにより、該ブログのＷｅｂページデータからブログの健康情報をつけている一のユーザのユーザＩＤが特定できる。例えば、一のユーザのユーザＩＤがブログのＷｅｂページデータなどに含まれている（図４（ａ））。
【００５３】
次に、ステップＳ２０２では、目標・実績分析部１３０４が、ユーザ健康情報テーブル１５０１から、ユーザＩＤに基づき、一のユーザの健康情報データを分析し抽出すると共に、類似ユーザを特定するために一のユーザと他のユーザのデータを比較し計算したデータを分析テーブル１５０４に記憶する。なお、分析テーブル１５０４の具体的な例については、図７で後述する。
【００５４】
次に、ステップＳ２０３では、異常データ検出部１３０５が、分析テーブル１５０４を参照し、一のユーザの健康情報の異常を検出する。ここでは、すでに目標・実績分析部１３０４が、一のユーザの健康情報データを分析し、分析テーブル１５０４に記憶しているので、参照するだけでよい。そして、異常がないとき（Ｓ２０３：ＮＯの場合）は、異常に対応するステップをスキップし、ステップＳ２０７の類似ユーザ抽出に移る。また、異常があるとき（Ｓ２０３：ＹＥＳの場合）は、次のステップＳ２０４に移る。
【００５５】
次に、ステップＳ２０４では、異常対応アドバイス部１３０６が、分析テーブル１５０４において「異常あり」と分析された内容に対応する、アドバイス情報ＩＤを参照する。ここで、アドバイス情報ＩＤは、目標・実績分析部１３０４が一のユーザの健康情報データを分析した際に、異常の内容に応じたＩＤを分析テーブル１５０４に記憶している。そして、異常対応アドバイス部１３０６が、アドバイス情報テーブル１５０２から、アドバイス情報ＩＤに基づき、アドバイス情報を抽出する。なお、アドバイス情報テーブル１５０２の具体的な例については、図８で後述する。
【００５６】
次に、ステップＳ２０５では、異常対応アドバイス部１３０６が、抽出したアドバイス情報のデータを、送受信部１２を介して、ユーザ端末２０に送信する。
【００５７】
次に、ステップＳ２０６では、ユーザ端末２０の制御部２３が、送受信部２２を介して、アドバイス情報のデータを受信する。そして、表示部２４によりアドバイス情報を表示する（図４（ｄ）参照）。なお、ブログのＷｅｂページに、健康管理アドバイス提供装置１０からのアドバイス情報のデータを受信して、目立つように体裁を整えて表示する機能などがある場合は、アドバイスを効果的に表示させることができる。
【００５８】
次に、ステップＳ２０７では、類似ユーザ抽出部１３０７が、分析テーブル１５０４を参照し、一のユーザと類似するユーザ（以下、類似ユーザという）を抽出する。ここで、類似ユーザは、目標・実績分析部１３０４が一のユーザの健康情報データを分析した際に、一のユーザの目標情報を基準として、他のユーザの目標情報の差を計算し、分析テーブル１５０４に記憶している。そして、一のユーザの目標情報と近い、他のユーザを、類似ユーザとして抽出する。なお、分析テーブル１５０４における類似ユーザについては、図７で後述する。
【００５９】
次に、ステップＳ２０８では、類似ユーザ抽出部１３０７が、抽出した類似ユーザのデータを、送受信部１２を介して、ユーザ端末２０に送信する。
【００６０】
次に、ステップＳ２０９では、ユーザ端末２０の制御部２３が、送受信部２２を介して、類似ユーザのデータを受信する。そして、表示部２４により類似ユーザを表示する（図４（ｅ）参照）。なお、ブログのＷｅｂページに、健康管理アドバイス提供装置１０からの類似ユーザのデータを受信して、体裁を整えて表示する機能などがある場合は、類似ユーザをより分かりやすく表示させることができる。例えば、表形式で表示したり、類似ユーザの表示に、該類似ユーザのブログへのリンクを持たせるなどしてもよい。こうすることで、ブログの作成者及び閲覧者が、他のユーザの情報を参照し、健康管理の参考にしたりすることができる。
【００６１】
次に、ステップＳ２１０では、広告マッチング部１３０８が、分析テーブル１５０４において「異常あり」と分析された内容に対応する、アドバイス情報ＩＤを参照する。そして、広告テーブル１５０３から、アドバイス情報ＩＤに対する、広告データを抽出する。なお、広告テーブル１５０３の具体的な例については、図９で後述する。
【００６２】
次に、ステップＳ２１１では、広告マッチング部１３０８が、抽出した広告データを、送受信部１２を介して、ユーザ端末２０に送信する。
【００６３】
次に、ステップＳ２１２では、ユーザ端末２０の制御部２３が、送受信部２２を介して、広告データを受信する。そして、表示部２４により広告データを表示する（図４（ｆ）参照）。なお、広告データに該広告内容を含むＷｅｂページへのリンクを持たせるなどしてもよい。こうすることで、ブログの作成者及び閲覧者が、広告の詳細情報を参照することができ、健康管理の役に立てることができる。
【００６４】
図７は、本発明の好適な実施形態の一例に係る分析テーブル１５０４を示す図である。
【００６５】
ここで、図７に示すように、分析テーブル１５０４は、ユーザＩＤ、分析情報、アドバイス情報ＩＤ、類似ユーザ判定、目標情報（例えば、目標体重）、現在体重、体脂肪率、オススメ情報（例えば、オススメダイエット情報）、及び徒歩数などの欄を持つデータベースである。そして、レコード（行）には各ユーザＩＤとそれぞれのデータとが関連付けて記憶されている。例えば、先頭のレコードには、健康情報に対するアドバイスなどを行う対象である一のユーザの「ユーザＩＤ：ＡＡＡ」のデータが記憶されている。なお、次のレコード以降には、「ユーザＩＤ：ＡＡＡ」に対する類似ユーザを特定するための他のユーザのデータが記憶されている。
【００６６】
図７において、ユーザＩＤ欄は、先頭のレコードに、健康情報に対するアドバイスなどを行う対象である一のユーザのユーザＩＤ、次のレコード以降には、他のユーザＩＤが記憶されている。又、分析情報欄は、先頭のレコードに、一のユーザの健康情報データの分析結果に基づく異常の有無が記憶されている。そして、アドバイス情報ＩＤ欄は、分析結果に基づく異常の内容を示すアドバイス情報ＩＤが記憶されている。なお、次のレコード以降の他のユーザの分析情報欄及びアドバイス情報ＩＤ欄には、データは記憶されなくてよい。
【００６７】
ここで、健康情報データの分析は、例えば、体脂肪率を前月と比較することで増加率を計算し、大幅に増えている場合に、体脂肪率について「異常あり」と判定するなどでよい。そして、異常の内容を示すアドバイス情報テーブル１５０２のアドバイス情報ＩＤを関連付ける。ここで、アドバイス情報ＩＤは、異常の内容の数により、１又は複数でもよい。なお、アドバイス情報テーブル１５０２の具体的な例については、図８で後述する。
【００６８】
さらに、分析テーブル１５０４の類似ユーザ判定欄は、先頭のレコードに、一のユーザの目標体重を基準値にするためにゼロを記憶し、次のレコード以降には、一のユーザと他のユーザとの目標体重の差を記憶している。ここで、図７の類似ユーザ判定欄には、ユーザＩＤ「ＡＡＡ」の目標体重「６０ｋｇ」を基準として、他のユーザの目標体重の差が計算されている。ユーザＩＤ「ＢＢＢ」は目標体重「６２ｋｇ」なので「＋２ｋｇ」、そして、ユーザＩＤ「ＣＣＣ」は目標体重「５８ｋｇ」なので「−２ｋｇ」と計算されている。そして、類似ユーザの抽出条件を、ユーザＩＤ「ＡＡＡ」の目標体重「６０ｋｇ」に対し±５ｋｇに設定している。このことにより、ユーザＩＤ「ＢＢＢ、ＣＣＣ、ＧＧＧ」を、ユーザＩＤ「ＡＡＡ」に対する類似ユーザとして特定することができる。
【００６９】
そしてまた、目標体重欄は、ユーザ毎の目標体重が記憶され、現在体重欄は、ユーザ毎の現在体重が記憶されている。そしてさらに、体脂肪率欄は、ユーザ毎の体脂肪率が記憶されている。また、オススメ情報（例えば、オススメダイエット情報）欄は、各ユーザが用いている健康食品や健康運動法などが記憶されている。さらに、徒歩数欄は、ユーザ毎の徒歩数が記憶されている。このように、分析テーブル１５０４は、一のユーザの健康情報データを分析すると共に、一のユーザの目標情報（例えば、目標体重）を基準とした他のユーザの目標情報の差を計算し類似ユーザを特定できる。
【００７０】
図８は、本発明の好適な実施形態の一例に係るアドバイス情報テーブル１５０２を示す図である。ここで、図８に示すように、アドバイス情報テーブル１５０２は、アドバイス情報ＩＤ、及びアドバイス情報などの欄を持つデータベースである。そして、レコード（行）には各アドバイス情報ＩＤとそれぞれのアドバイス情報とが関連付けて記憶されている。例えば、先頭のレコードには、アドバイス情報ＩＤ「ＡＤ００１」がアドバイス情報「体重のデータがありません。」と共に記憶されている。また、８行目のレコードには、アドバイス情報ＩＤ「ＡＤ００８」がアドバイス情報「運動不足で体脂肪が増加しています。」と共に記憶されている。
【００７１】
図９は、本発明の好適な実施形態の一例に係る広告テーブル１５０３を示す図である。ここで、図９に示すように、広告テーブル１５０３は、アドバイス情報ＩＤ、及び広告データなどの欄を持つデータベースである。そして、レコード（行）には各アドバイス情報ＩＤとそれぞれの広告データとが関連付けて記憶されている。例えば、先頭のレコードには、アドバイス情報ＩＤ「ＡＤ００１」がアドバイス情報「体重計の広告データ」と共に記憶されている。また、７行目のレコードには、アドバイス情報ＩＤ「ＡＤ００８」がアドバイス情報「ウォーキングマシンの広告データ」と共に記憶されている。
【００７２】
なお、広告データの提供は、分析テーブル１５０４を参照して行なってもよい。例えば、分析テーブル１５０４において、一のユーザの健康情報データに類似する他のユーザのオススメ情報（例えば、オススメダイエット情報）を参照して、該オススメ情報に関連する広告データを提供してもよい。例えば、図４（ｇ）はオススメダイエット情報「ＧＧＧさん紹介  ○○食品」の広告データを表示している。
【００７３】
［健康管理アドバイス提供装置のハードウェア構成］
図１０は、本発明の好適な実施形態の一例に係る健康管理アドバイス提供装置１０（以下、単に健康管理アドバイス提供装置と呼ぶ）、Ｗｅｂサイト６０、及びユーザ端末２０のハードウェア構成を示す図である。以下、健康管理アドバイス提供装置を例にして説明するが、Ｗｅｂサイト６０、及びユーザ端末２０についても基本的には同様である。
【００７４】
健康管理アドバイス提供装置は、制御装置１３０を構成するＣＰＵ（Ｃｅｎｔｒａｌ  Ｐｒｏｃｅｓｓｉｎｇ  Ｕｎｉｔ）１３１（マルチプロセッサ構成ではＣＰＵ１３２など複数のＣＰＵが追加されてもよい）、バスライン１０５、通信Ｉ／Ｆ（Ｉ／Ｆ：インターフェイス）１２０、メインメモリ１７０、ＢＩＯＳ（Ｂａｓｉｃ  Ｉｎｐｕｔ  Ｏｕｔｐｕｔ  Ｓｙｓｔｅｍ）１８０、ＵＳＢポート１９０、Ｉ／Ｏコントローラ１６０、キーボード及びマウスなどの入力装置１１０、並びに表示装置１４０を備える。
【００７５】
Ｉ／Ｏコントローラ１６０には、テープドライブ１５１、ハードディスク１５３、光ディスクドライブ１５２、及び半導体メモリ１５４などの記憶装置１５０を接続することができる。
【００７６】
ＢＩＯＳ１８０は、健康管理アドバイス提供装置の起動時にＣＰＵ１３１が実行するブートプログラムや、健康管理アドバイス提供装置のハードウェアに依存するプログラムなどを格納する。
【００７７】
ハードディスク１５３は、健康管理アドバイス提供装置として機能するための各種プログラム及び本発明の機能を実行するプログラムを記憶する。
【００７８】
光ディスクドライブ１５２としては、例えば、ＤＶＤ−ＲＯＭドライブ、ＣＤ−ＲＯＭドライブ、ＤＶＤ−ＲＡＭドライブ、ＣＤ−ＲＡＭドライブを使用することができる。この場合は各ドライブに対応した光ディスク１５２１を使用する。光ディスク１５２１から光ディスクドライブ１５２によりプログラム又はデータを読み取り、Ｉ／Ｏコントローラ１６０を介してメインメモリ１７０又はハードディスク１５３に提供することもできる。又、同様にテープドライブ１５１に対応したテープメディア１５１１を主としてバックアップのために使用することもできる。
【００７９】
健康管理アドバイス提供装置に提供されるプログラムは、ハードディスク１５３、光ディスク１５２１、又はメモリーカードなどの記録媒体に格納されて提供される。このプログラムは、Ｉ／Ｏコントローラ１６０を介して、記録媒体から読み出され、又は通信Ｉ／Ｆ１２０を介してダウンロードされることによって、健康管理アドバイス提供装置にインストールされ実行されてもよい。
【００８０】
上述のプログラムは、内部又は外部の記憶媒体に格納されてもよい。ここで、記憶媒体としては、ハードディスク１５３、光ディスク１５２１、又はメモリーカードの他に、ＭＤなどの光磁気記録媒体、テープメディア１５１１を用いることができる。又、専用通信回線やインターネットなどの通信回線に接続されたサーバシステムに設けたハードディスク１５３又は光ディスクライブラリなどの記憶装置を記録媒体として使用し、通信ネットワーク３０を介してプログラムを健康管理アドバイス提供装置に提供してもよい。
【００８１】
ここで、表示装置１４０は、ユーザによるデータの入力を受け付ける画面を表示したり、健康管理アドバイス提供装置による演算処理結果の画面を表示したりするものであり、ブラウン管表示装置（ＣＲＴ）、液晶表示装置（ＬＣＤ）などのディスプレイ装置を含む。
【００８２】
ここで、入力装置１１０は、ユーザによる入力の受け付けを行うものであり、キーボード及びマウスなどにより構成してよい。
【００８３】
又、通信Ｉ／Ｆ１２０は、健康管理アドバイス提供装置を専用ネットワーク又は公共ネットワークを介して端末と接続できるようにするためのネットワーク・アダプタである。通信Ｉ／Ｆ１２０は、モデム、ケーブル・モデム及びイーサネット（登録商標）・アダプタを含んでよい。
【００８４】
以上の例は、健康管理アドバイス提供装置のハードウェア構成について主に説明したが、コンピュータに、プログラムをインストールして、そのコンピュータを健康管理アドバイス提供装置として動作させることにより上記で説明した機能を実現することもできる。従って、本発明において一実施形態として説明した健康管理アドバイス提供装置により実現される機能は、上述の方法を当該コンピュータにより実行することにより、あるいは、上述のプログラムを当該コンピュータに導入して実行することによっても実現可能である。
【００８５】
以上、本発明の実施形態について説明したが、本発明は上述した実施形態に限るものではない。又、本発明の実施形態に記載された効果は、本発明から生じる最も好適な効果を列挙したに過ぎず、本発明による効果は、本発明の実施例に記載されたものに限定されるものではない。
【図面の簡単な説明】
【００８６】
【図１】本発明の好適な実施形態の一例に係るシステム１の全体構成を示す図である。
【図２】本発明の好適な実施形態の一例に係るユーザ端末２０及び健康管理アドバイス提供装置１０の機能ブロック図である。
【図３】本発明の好適な実施形態の一例に係るユーザの健康関連データ及び目標情報取得処理のシーケンス図である。
【図４】本発明の好適な実施形態の一例に係るユーザの健康情報データを載せたブログ画面を示す図である。
【図５】本発明の好適な実施形態の一例に係るユーザ健康情報テーブル１５０１を示す図である。
【図６】本発明の好適な実施形態の一例に係る健康管理アドバイス提供処理のシーケンス図である。
【図７】本発明の好適な実施形態の一例に係る分析テーブル１５０４を示す図である。
【図８】本発明の好適な実施形態の一例に係るアドバイス情報テーブル１５０２を示す図である。
【図９】本発明の好適な実施形態の一例に係る広告テーブル１５０３を示す図である。
【図１０】本発明の好適な実施形態の一例に係る健康管理アドバイス提供装置１０、Ｗｅｂサイト６０、及びユーザ端末２０のハードウェア構成を示す図である。
【符号の説明】
【００８７】
１  システム
１０  健康管理アドバイス提供装置
２０、２０ａ、２０ｂ、２０ｃ  ユーザ端末
３０  通信ネットワーク
５０  バイタルデータ計測装置
６０  Ｗｅｂサイト
１２  送受信部
１３、１３０  制御部
１５、１５０  記憶部
１３０１  健康情報取得部
１３０２  健康管理データ取得部
１３０３  目標情報取得部
１３０４  目標・実績分析部
１３０５  異常データ検出部
１３０６  異常対応アドバイス部
１３０７  類似ユーザ抽出部
１３０８  広告マッチング部
１５０１  ユーザ健康情報テーブル
１５０２  アドバイス情報テーブル
１５０３  広告テーブル
１５０４  分析テーブル
【図１】
2008262504.tif 000003
【図２】
2008262504.tif 000004
【図３】
2008262504.tif 000005
【図４】
2008262504.tif 000006
【図５】
2008262504.tif 000007
【図６】
2008262504.tif 000008
【図７】
2008262504.tif 000009
【図８】
2008262504.tif 000010
【図９】
2008262504.tif 000011
【図１０】
2008262504.tif 000012